(57)【特許請求の範囲】
【請求項１】
ファンが収容されたファンケーシング、該ファンケーシングに装着されたベルマウス及び前記ファンを駆動するファンモータからなる送風機と、電気品収納箱とを備え、
前記ベルマウスを弾性を有する合成樹脂によって構成し、かつ該ベルマウスにアーム状突出リブを一体に設け、該アーム状突出リブと前記ファンケーシングとの間に形成された空間部にファンモータケーブルを挿入して固定したことを特徴とする空気調和機。
【発明の詳細な説明】
【０００１】
【発明の属する技術分野】
本発明は、空気調和機に係り、さらに詳しくは、空気調和機の電気配線保持構造に関するものである。
【０００２】
【従来の技術】
図５は従来の空気調和機の一例の斜視図及び一部拡大図である。図において、１は空気調和機の本体、２はその前面上部に設けた吹出し口、３はその前面側にリモコン４が取付けられ、背面側にコードクランプ５が設けられた意匠パネルで、本体１の内部には熱交換器６が設置されている。７は意匠パネル３の前面下部に設けた吸込み口で、その背面の本体１内には、背面パネル８にファン９を配設したファンモーター１０、及びファン９を収容するファンケーシング１１にベルマウス１２が装着された送風機１３と、下部にコードクランプ１４が設けられて送風機１３の下方に設置された本体補強部材１５と、送風機１３の上部に設けられた電気品収納箱１６とが設けられている。
【０００３】
上記のように構成した従来の空気調和機において、リモコン４にリモコンケーブル１７を接続するにあたっては、リモコン４と電気品収納箱１６との間をリモコンケーブル１７をコネクタ接続するために、一端がリモコン４のコネクタ（図示せず）に接続され、ケーブル取出し口１９ａから意匠パネル３の背面に導かれたリモコンケーブル１７をコードクランプ５によりクランプし、他端を電気品収納箱１６にコネクタ接続する。
【０００４】
また、ファンモータケーブル１８の接続作業にあたっては、ファンモータ１０から導出されたファンモータケーブル１８を本体補強部材１５の背面側に取出し、コードクランプ１４をファンモータケーブル１８の任意の位置に巻付けて保持したのち、他端を電気品収納箱１６内にコネクタ接続する。
【０００５】
【発明が解決しようとする課題】
上記のような従来の空気調和機のリモコンケーブル１７の接続作業にあたっては、引き回し作業によりリモコンケーブル１７を引張ることがあり、このため、リモコン４のコネクタ２１ａの接続部に無理な張力がかかり、端子抜けや断線によって機器の故障につながるおそれがあった。
また、複数のコードクランプ５によりリモコンケーブル１７を任意の位置で巻きつけて保持するようにしているため、部品点数の増加と作業性の低下によりコストアップの要因になると共に、各リモコンケーブルの保持位置が不明確である。
さらに、リモコンケーブル１７のコネクタ接続後において、外部引張力により端子抜けや断線が発生するおそれがあり、これが機器の故障につながる等の問題があった。
【０００６】
また、ファンモータケーブル１８の接続作業にあたっては、クランプ１４の巻き付け位置や巻き付け方の作業差によって確実な保持を行うことが困難で、その上作業性も悪いという問題があり、そのため、クランプ１４と電気品収納箱１６との間のファンモータケーブル１８にたるみが出易く、運転中の送風機１３の静圧によってファンモータケーブル１８が引き込まれ、回転中のファン９に接触して断線するおそれがあった。
【０００７】
本発明は上記の課題を解決するためになされたもので、リモコンケーブル及びファンモータケーブルの保持機構の簡略化により、保持部品の削減と製品の組立作業の向上とによりコストを低減すると共に、製品の品質や安全性を向上することのできる信頼性の高い空気調和機を提供することを目的としたものである。
【００１０】
【課題を解決するための手段】
本発明に係る空気調和機は、ファンが収容されたファンケーシング、該ファンケーシングに装着されたベルマウス及び前記ファンを駆動するファンモータからなる送風機と、電気品収納箱とを備え、前記ベルマウスを弾性を有する合成樹脂によって構成し、かつ該ベルマウスにアーム状突出リブを一体に設け、該アーム状突出リブと前記ファンケーシングとの間に形成された空間部にファンモータケーブルを挿入して固定したものである。
【００１１】
【発明の実施の形態】
［実施の形態１］
図１は本発明の本実施の形態１に係る空気調和機の一部を断面で示した斜視図及び一部拡大図、図２は図１のリモコンの分解斜視図及び一部拡大図、図３は図１のファンモータケーブルの保持部を説明するための縦断面図及び一部拡大図である。
【００１２】
図において、１は空気調和機の本体、２はその前面上部に設けた吹出し口、３は本体１の前面に着脱可能に装着された意匠パネルで、上部にはリモコン４の取付部３ａが設けられている。３ｂは意匠パネル３の背面において、取付部３ａの下方に意匠パネル３と直交して設けられた支持板で、切欠き部３ｃが設けられており、さらにその近傍にはリモコンケーブル１７を係止して保持する係止爪３ｄが設けられている。６は本体１の内部に設置された熱交換器である。
【００１３】
７は意匠パネル３の下部に設けた吸込み口で、その背面側の本体１内には送風機１３が設けられている。この送風機１３は、ファン９が収容されて背面パネル８に取付けられたファンケージング１１と、ファン９を駆動するモータ１０と、弾性を有しファンケーシング１１に装着された合成樹脂製のベルマウス１２とからなり、ベルマウス１２にはアーム状突出リブ１２ａが一体に設けられている。１５は送風機１３の下方に設けられた本体補強部材、１６は送風機１３の上方に設けられた電気品収納箱である。
【００１４】
リモコン４は、図２に示すように、下ケース１９と上ケース２０とにより外郭を形成しており（図には上下が逆に示してある）上ケース２０には、弾性を有し内部に配設された基板２１を固定する複数の係止爪２０ａが設けられ、また、周壁の内壁面には、リモコンケーブル１７の曲げ位置の近傍に、リモコンケーブル１７に対して所定の角度で設けられた溝部２０ｃを有する複数のガイドリブ２０ｂが設けられている。２１ａは基板２１に設けたコネクタである。なお、１９ａは下ケース１９に設けたリモコンケーブル１７の取出し口である。
【００１５】
次に、上記のように構成した本実施の形態の作用について説明する。先ず、リモコン４にリモコンケーブル１７を接続するにあたっては、図１、図２に示すように、リモコン４と電気品収納部１６との間をリモコンケーブル１７によって接続するために、一端がリモコン４の上ケース２０に設けたコネクタ２１ａに接続されるリモコンケーブル１７を、上ケース２０に設けたガイドリブ２０ｂの溝部２０ｃにその弾性を利用して押圧嵌合して挾持させ、ガイドリブ２０ｂの間を周壁の内壁面に沿って所定の角度２４で引き回し、下ケース１９に設けたケーブル取出し口１９ａから導出させる。このとき、リモコンケーブル１７は、ガイドリブ２０ｂの溝部２０ｃにかかる張力方向２５ｂの摩擦力が、ガイドリブ２０ｂと直交する張力方向２５ａの摩擦力より大きいため、張力方向２５ｂの外部張力２５によって、リモコンケーブル１７が移動するようなことはない。
【００１６】
ついで、リモコンケーブル１７を、意匠パネル３の裏面において切欠き部３ｃに通し、係止部３ｄで係止して意匠パネル３に沿って保持し、他端を電気品収納箱１６に接続する。これにより、リモコンケーブル１７を介してリモコン４のコネクタ２１ａに加わる外部張力を緩和できると共に、リモコンケーブル１７の着脱を容易に行うことができる。
【００１７】
また、ファンモータ１０のケーブルの接続にあたっては、図１、図３に示すように、ファンモータ１０より導出されたファンモータケーブル１８を本体補強部材１５の背面に取出して、ファンケーシング１１とアーム状突出リブ１２ａとの間に形成された空間部２３に開口部１２ｂから挿入し、挾持させて固定する。
【００１８】
このとき、アーム状突出リブ１２ａを破線で示すように矢印１２ｃ方向に弾性変形させて、一時的に開口部１２ｂを拡大することにより、ファンモータケーブル１８を空間部２３内に容易に挿入することができる。挿入後のファンモータケーブル１８は、復帰したアーム状突出リブ１２ａの弾性力によって押圧され、ファンケーシング１１とアーム状突出リブ１２ａとによって挾持されて、空間部２３内に確実に保持される。
【００１９】
さらに、空間部２３内に保持されたファンモータケーブル１８の保持位置を変更する場合は、前述のようにアーム状突出リブ１２ａを矢印１２ｃ方向に弾性変形させて開口部１２ｂを拡大し、ファンモータケーブル１８の挾持を解除してフリー状態にし、ファンモータケーブル１８を移動させることにより、ファンモータケーブル１８の保持位置を容易に変えることができる。
ファンモータケーブル１８の固定作業が終ったときは、その他端を電気品収納箱１６に接続する。
【００２０】
［実施の形態２］
図４は本発明の実施の形態２に係る空気調和機の要部の斜視図で、リモコン４の上ケース２０の一部を示す。
本実施の形態は、リモコンケーブル１７に締付部材２２を取付けて、この締付部材２２をガイドリブ２０ｂに係止させ、上ケース２０内に保持固定するようにしたものである。
【００２１】
本実施の形態によれば、リモコンケーブル１８に取付けた締付部材２２をガイドリブ２０ｂに係止させることによりその保持位置を決めることができ、また、リモコン４のコネクタ２１ａに加わる外部張力をリモコンケーブル１７の弾性力と締付部材２２の両者によって緩和することができる。なお、その他の構造及び作用は、実施の形態１の場合と同様である。
【００２２】
上記の説明では、空気調和機のリモコン４と、送風機１３のファンモータ１０のケーブル１７，１８の保持に本発明を実施した場合を示したが、本発明はその他の機器のケーブルの保持にも実施することができる。
【００２３】
以上詳述したように、本発明によれば、リモコンケーブル１７によってコネクタ２１ａの接続部に加わる外部張力を、リモコンケーブル１７の弾性により保持するガイドリブ２０ｂによって緩和するようにしたので、コネクタ２１ａに負担がかからず、このため端子抜けや断線などを生じることがなく、信頼性の高い空気調和機を得ることができる。
また、意匠パネル３に切欠き部３ｃと係止爪３ｄを設けてリモコンケーブル１７を保持するようにしたので、配線の引回し作業性が向上すると共に、部品点数を削減できるのでコストダウンをはかることができる。
【００２４】
さらに、アーム状突出リブ１２ａを有するベルマウス１２をファンケーシング１１に装着して、ファンケーシング１１とアーム状突出リブ１２ａとの間に形成された空間部２３内にファンモータケーブル１８を挿入固定して保持するようにしたので、ファンモータケーブル１８の引き回し作業性や安全性が向上すると共に、部品点数削減によるコストダウンがはかれる。
【００２９】
【発明の効果】
本発明によれば、弾性材からなりアーム状突出リブを一体に設けたベルマウスをファンケーシングに装着し、ファンケーシングとアーム状突出リブとの間に形成された空間部にファンモータケーブルを挿入して固定するようにしたので、ケーブルの引回し作業性や安全性が向上して信頼性の高い空気調和機が得られると共に、部品点数の削減によりコストダウンをはかることができる。
【図面の簡単な説明】
【図１】  本発明の実施の形態１の一部を断面で示した斜視図及び一部拡大図である。
【図２】  図１のリモコンの分解斜視図及び一部拡大図である。
【図３】  図１のファンモータケーブルの保持部を説明するための縦断面図及び一部拡大図である。
【図４】  本発明の実施の形態２の要部を示す斜視図である。
【図５】  従来の空気調和機の一例の斜視図及び一部拡大図である。
【符号の説明】
１  空気調和機、３  意匠パネル、３ａ  リモコンの取付部、３ｃ  切欠き部、３ｄ  係止爪、４  リモコン、１３  送風機、９  ファン、１０  モータ、１１  ファンケーシング、１２  ベルマウス、１２ａ  アーム状突出リブ、１５  本体補強部材、１６  電気品収納箱、１７  リモコンケーブル、１８  ファンモータケーブル、１９  下ケース、２０  上ケース、２０ｂ  ガイドリブ、２０ｃ溝部、２１ａ  コネクタ、２２  締付部材、２３  空間部。
【図１】
0003849756.tif 000002
【図２】
0003849756.tif 000003
【図３】
0003849756.tif 000004
【図４】
0003849756.tif 000005
【図５】
0003849756.tif 000006